(57)【特許請求の範囲】
【請求項１】
外部接続用端子が固定される絶縁端子板を、対向する側面に設けた箱形金属容器に、表面が絶縁処理の施された１本または複数本の平角線を、該平角線の厚さ方向に積層巻回し、折り返しの前記平角線をめがね状にして、同じ巻数の巻線を連続して往復巻回し、前記巻線の両端に引き出し線を有するめがね型コイルに、複数の分割型閉磁路磁芯を突き合わせて構成されるコモンモードチョークコイルとフィルタ素子とを組み合わせて、前記箱形金属容器に収納されたノイズフィルタにおいて、使用する複数の前記めがね型コイルのうち、１個だけ巻線方向を反対にしたものを用い、前記めがね型コイルに流れる電流によって発生する磁束の方向が打ち消し合うように複数の前記分割型閉磁路磁芯に嵌通し、前記めがね型コイルの引き出し線の端部を、銅管端子にて外部接続端子と接続したことを特徴とするノイズフィルタ。
【発明の詳細な説明】
【０００１】
【発明の属する技術分野】
本発明は、電磁ノイズを抑制するためのノイズフィルタに関し、特に、外部接続用端子を備えた箱形金属容器に収納するコモンモードチョークコイルの構造に関する。
【０００２】
【従来の技術】
従来のノイズフィルタは、トロイダルコアに複数本の太い電線を手作業で巻回したコモンモードチョークコイルとフィルタ素子を組み合わせて、外部接続用端子を備えた箱形金属容器に収納した構造であった。
【０００３】
しかしながら、前記箱形金属容器内の配線スペースが狭いため、トロイダルコイルの太い電線の引き出し線と前記外部接続用端子との接続が困難であり、引き出し線の端部に接続用金具をつける必要があった。また、前記引き出し線の端部の位置および方向がばらつくので、組み立てに長時間を要するという問題があった。
【０００４】
上記問題点を改善するために、平角線を厚さ方向に積層し、筒状に自動巻回しためがね型コイルと、Ｕ字型の磁芯を使用した大電流用ノイズフィルタが特願平５−２９４７２３に提案されている。
【０００５】
即ち、図５に示すように、平角線を厚さ方向に積層巻回しためがね型コイル１１を用いた、コモンモードチョークコイルを使用して、外部接続用端子１３が固定される絶縁端子板１５を対向する側面に設けた箱形金属容器１２内で、めがね型コイル１１と外部接続用端子１３とを導電板を折り曲げた接続用導体１４で接続する構造のノイズフィルタが提案されている。
【０００６】
【発明が解決しようとする課題】
前述のように、めがね型コイルの端部と外部接続用端子とを接続用導体を用いて、ねじで接続する構成としたことにより、接続作業が容易になり、能率良くノイズフィルタを組み立てることができるようになった。
【０００７】
しかし、前記めがね型コイルの端部が、前記外部接続用端子から見て左右どちらかに片寄ってしまうため、前記めがね型コイルの端部と前記外部接続用端子を接続する際に、接続専用に設計、製作した数種類（三相の場合は３種類）の接続用導体が必要であり、使用部品の種類が多くなり、コストも高くなり、また、前記めがね型コイルの端部と接続用導体は、ねじによる接続のため、信頼性に欠けるという問題があった。
【０００８】
本発明は、これらの欠点を除去し、使用部品の種類を少なくし、コストを下げ、かつ、信頼性の高いノイズフィルタを提供することにある。
【０００９】
【課題を解決するための手段】
本発明は、部接続用端子が固定される絶縁端子板を、対向する側面に設けた箱形金属容器に、表面が絶縁処理の施された１本または複数本の平角線を、該平角線の厚さ方向に積層巻回し、折り返しの前記平角線をめがね状にして、同じ巻数の巻線を連続して往復巻回し、前記巻線の両端に引き出し線を有するめがね型コイルに、複数の分割型閉磁路磁芯を突き合わせて構成されるコモンモードチョークコイルとフィルタ素子とを組み合わせて収納し、前記箱形金属容器に収納されたノイズフィルタにおいて、使用する複数の前記めがね型コイルのうち、１個だけ巻線方向を反対にしたものを用い、複数の前記めがね型コイルに流れる電流によって発生する磁束の方向が打ち消し合うように、複数の前記分割型閉磁路磁芯に嵌通し、前記めがね型コイルの引き出し線の端部を銅管端子にて外部接続端子と接続したノイズフィルタである。
【００１０】
（作用）
本発明によって、複数のめがね型コイルのうち、１個だけ巻線方向を反対にしためがね型コイルを用い、それぞれの前記めがね型コイルに流れる電流によって発生する磁束の方向が打ち消し合うように、複数の分割型閉磁路磁芯に嵌通したコモンモードチョークコイルを構成することにより、該コモンモードチョークコイルの引き出し線が、等間隔で設けられた外部接続用端子のほぼ真下で、その距離もほぼ同じになるところに位置するので、市販されている同じ大きさの銅管端子を使用することができ、使用部品の種類が減り、コストが安くなる。
【００１１】
又、前記引き出し線と前記銅管端子とは、直接、半田付けにて接続するため、信頼性の向上がはかれるノイズフィルタが可能となる。
【００１２】
【発明の実施の形態】
以下、本発明の実施例を図面を用いて説明する。
図１は、本発明によるノイズフィルタを示す斜視図である（便宜上、フィルタ素子の図示を省略している）。図２は、本発明によるノイズフィルタに用いられるコモンモードチョークコイルを示す斜視図である。図３は、本発明によるノイズフィルタに用いられるめがね型コイルを示す斜視図である。図４は、本発明のノイズフィルタに用いられる銅管端子を示す斜視図である。
【００１３】
図３において、めがね型コイル１，１６は、表面が絶縁処理の施された平角線を、厚さ方向に筒状に積層巻回し、折り返しの前記平角線をめがね状にして、同じ巻数の巻線を連続して、往復巻回して引き出し線２を設けたものである。
【００１４】
又、本発明のノイズフィルタに用いられるコモンモードチョークコイルは、図３（ａ）に示す巻線方向９の前記めがね型コイル１を２個と、図３（ｂ）に示す巻線方向１０の前記めがね型コイル１６を１個用いて、図２に示すように、それぞれの前記めがね型コイル１，１６に流れる電流によって発生する磁束の方向が打ち消し合うように、磁路に対して同じ巻線方向７となるように組み合わせ、複数の分割型閉磁路磁芯８を突き合わせて構成したものである。
【００１５】
又、図１に示すように、本発明のノイズフィルタは、前記めがね型コイル１，１６の引き出し線２が、金属容器３に嵌合した絶縁端子板４上に設けられた外部接続用端子５のほぼ真下で、また、その距離も、ほぼ同じところに位置するようになるので、図４に示す市販されている同じ大きさの銅管端子６を使用することができる。
【００１６】
本発明の実施例では、三相用として３個のめがね型コイルを用い、巻線方向が図３（ａ）に示す巻線方向９のめがね型コイル１を２個と、図３（ｂ）に示す巻線方向１０の前記めがね型コイル１６を１個使用したが、図３（ａ）に示す前記めがね型コイル１を１個と、図３（ｂ）に示す前記めがね型コイル１６を２個使用しても、同じ結果が得られ、又、単相の場合においても、同じ結果が得られる。
【００１７】
【発明の効果】
以上のごとく、本発明によれば、使用する部品の種類を減らすことができ、コストが安くでき、前記コモンモードチョークコイルの引き出し線と銅管端子の接続における信頼性の向上がはかれるノイズフィルタを得ることができる。
【図面の簡単な説明】
【図１】本発明によるノイズフィルタを示す斜視図。
【図２】本発明によるノイズフィルタに用いられるコモンモードチョークコイルを示す斜視図。
【図３】本発明のノイズフィルタに用いられるめがね型コイルを示す斜視図。図３（ａ）は巻線方向が右巻きのめがね型コイルを示す斜視図。図３（ｂ）は巻線方向が左巻きのめがね型コイルを示す斜視図。
【図４】本発明によるノイズフィルタに用いられる銅管端子の斜視図。
【図５】従来のノイズフィルタを示す斜視図。
【符号の説明】
１，１１，１６    めがね型コイル
２    引き出し線
３，１２    （箱形）金属容器
４    絶縁端子板
５，１３      外部接続用端子
６    銅管端子
７，９，１０    巻線方向
８    分割型閉磁路磁芯
１４    接続用導体
１５        絶縁端子板
【図１】
0003582908.tif 000002
【図２】
0003582908.tif 000003
【図３】
0003582908.tif 000004
【図４】
0003582908.tif 000005
【図５】
0003582908.tif 000006